(57)【要約】【課題】本発明の課題は、切ランプを点灯している販売中止時間帯においても、商品補充時には、商品が所定位置に正しく補充されたことが作業者に判ることができる自動販売機を提供することにある。【解決手段】販売中止時間帯を設け、該販売中止時間帯では、商品無を検知して点灯する売切ランプを商品の有無に関係なく点灯して販売を中止するようにした自動販売機において、前記販売中止時間帯に、外扉を開放して、その後、外扉を閉じた際には、一定時間の間、商品有無を検知してその検知結果を出力し、その検知結果に基づき、一定時間の間、売切ランプを点灯するものである。【選択図】図１
2011048662.tif 000002
【特許請求の範囲】
【請求項１】
販売中止時間帯を設け、該販売中止時間帯では、商品無を検知して点灯する売切ランプを商品の有無に関係なく点灯して販売を中止するようにした自動販売機において、
前記販売中止時間帯に、外扉を開放して、その後、外扉を閉じた際には、一定時間の間、商品有無を検知してその検知結果を出力し、その検知結果に基づき、一定時間の間、売切ランプを点灯することを特徴とする自動販売機。
【請求項２】
請求項１に記載の自動販売機において、前記一定時間の間に販売中止時間帯が終了した際には、一定時間経過後あるいは販売中止時間帯終了時点で販売待機状態とすることを特徴とする自動販売機。
【請求項３】
販売中止時間帯を設け、該販売中止時間帯では、商品無を検知して点灯する売切ランプを商品の有無に関係なく点灯して販売を中止するようにした自動販売機において、
前記販売中止時間帯に、外扉を開放している間は、商品有無を検知してその検知結果を出力し、その検知結果に基づき、売切ランプを点灯することを特徴とする自動販売機。
【請求項４】
請求項３に記載の自動販売機において、外扉開放中に販売中止時間帯が終了した際には、外扉を閉じた時点あるいは販売中止時間帯終了時点で販売待機状態とすることを特徴とする自動販売機。
【請求項５】
請求項１または３に記載の自動販売機において、商品有無状態検知中は、貨幣の受入れを禁止することを特徴とする自動販売機。
【請求項６】
販売中止時間帯を設け、該販売中止時間帯では、商品無を検知して点灯する売切ランプを商品の有無に関係なく点灯して販売を中止するようにした自動販売機において、
前記販売中止時間帯に、外扉を開放した場合には、販売中止時間を終了することを特徴とする自動販売機。
【請求項７】
販売中止時間帯を設け、該販売中止時間帯では、商品無を検知して点灯する売切ランプを商品の有無に関係なく点灯して販売を中止するようにした自動販売機において、
前記販売中止時間帯に、外扉を開放し、その後、外扉を閉じたことを検知して、販売中止時間を終了することを特徴とする自動販売機。
【発明の詳細な説明】
【技術分野】
【０００１】
本発明は、販売中止時間帯を有する自動販売機に関する。
【背景技術】
【０００２】
従来、収納されている商品が無くなり、検知レバーが商品と接触していないと売切信号を出力して売切ランプを点灯させ、また、検知レバーにて商品を検知すると、売切が解除され、売切ランプを消灯するようにした自動販売機が知られている（特許文献１）。
【０００３】
また、アルコール飲料などの夜間販売不可商品または夜間省エネルギー化のため、所定の時間帯における商品販売を中止することができるようにして、その販売中止時間帯は売切ランプを点灯するようにした自動販売機が知られている（特許文献２）。
【先行技術文献】
【特許文献】
【０００４】
【特許文献１】特開平３−２３３７９５号公報
【特許文献２】特開平１１−３１２２６９号公報
【発明の概要】
【発明が解決しようとする課題】
【０００５】
ところで、前記従来の方式では、販売を中止している時間帯に売切商品の補充あるいは販売商品の入れ替えなどを行った場合、検知レバーによる出力信号に関係なく売切ランプは点灯状態のままであるため、商品収納ラックの所定位置に正しく商品が収納されたかが分からないのが現状である。
【０００６】
このため、販売中止時間帯が終了して、販売可能な時間帯となったとしても、所定位置に正しく商品が収納されていないとすると、売切ランプは点灯状態のままとなり、商品があるのに販売できないという不具合が生じるものである。
【０００７】
そこで、本発明は、売切ランプを点灯している販売中止時間帯においても、商品補充時には、商品が所定位置に正しく補充されたことが作業者に判るようにする自動販売機を提供することを目的とする。
【課題を解決するための手段】
【０００８】
前記課題を解決するために、本発明の自動販売機は、以下の手段により達成されるものである。
第１の手段は、販売中止時間帯を設け、該販売中止時間帯では、商品無を検知して点灯する売切ランプを商品の有無に関係なく点灯して販売を中止するようにした自動販売機において、前記販売中止時間帯に、外扉を開放して、その後、外扉を閉じた際には、一定時間の間、商品有無を検知してその検知結果を出力し、その検知結果に基づき、一定時間の間、売切ランプを点灯することを特徴とする。
【０００９】
第１の手段の変形例として、一定時間の間に、販売中止時間帯が終了した際には、一定時間経過後あるいは販売中止時間帯終了時点で販売待機状態とすることを特徴とする。
第２の手段は、販売中止時間帯を設け、該販売中止時間帯では、商品無を検知して点灯する売切ランプを商品の有無に関係なく点灯して販売を中止するようにした自動販売機において、前記販売中止時間帯に、外扉を開放している間は、商品有無を検知してその検知結果を出力し、その検知結果に基づき、売切ランプを点灯することを特徴とする。
【００１０】
第２の手段の変形例として、外扉開放中に販売中止時間帯が終了した際には、外扉を閉じた時点あるいは販売中止時間帯終了時点で販売待機状態とすることを特徴とする。
上記商品有無状態検知中は、貨幣の受入れを禁止することを特徴とする。
【００１１】
第３の手段は、販売中止時間帯を設け、該販売中止時間帯では、商品無を検知して点灯する売切ランプを商品の有無に関係なく点灯して販売を中止するようにした自動販売機において、前記販売中止時間帯に、外扉を開放した場合には、販売中止時間帯を終了することを特徴とする。
【００１２】
第４の手段は、販売中止時間帯を設け、該販売中止時間帯では、商品無を検知して点灯する売切ランプを商品の有無に関係なく点灯して販売を中止するようにした自動販売機において、前記販売中止時間帯に、外扉を開放し、その後、外扉を閉じた際には、販売中止時間帯を終了することを特徴とする。
【発明の効果】
【００１３】
本発明は、販売中止時間帯であっても、外扉を開放して、その後、外扉を閉じた際には、一定時間の間、商品有無を検知してその検知結果を出力し、その検知結果に基づき、一定時間の間、売切ランプを点灯するようにしたので、販売中止時間帯に商品を補充した場合であっても、所定位置に正しく補充されたか否かを確認することが可能となるため、販売復帰後、商品があるのに売切状態のままとなる不具合が無くなるという効果が得られる。
【００１４】
また、外扉開放中は、商品有無の状態を出力して、その出力結果に基づき、売切ランプを点灯することにより、上記と同様の効果が得られる。
さらに、外扉開放、あるいは外扉開から閉を検知して、販売中止時間帯を終了させることで、所定位置に正しく補充されたか否かを確認することが可能となるとともに、販売する商品によっては、販売開始を早めることが可能となる。
【図面の簡単な説明】
【００１５】
【図１】本発明の一実施の形態を示す構成ブロック図である。
【図２】本発明の実施の形態である新聞自動販売機を示す正面図である。
【図３】本発明の一実施の形態の設定処理を示すフローチャートである。
【図４】本発明の一実施の形態の販売処理を示すフローチャートである。
【図５】本発明の一実施の形態の補充処理を示すフローチャートである。
【図６】本発明の第２の実施の形態の補充処理を示すフローチャートである。
【図７】本発明の第３の実施の形態の補充処理を示すフローチャートである。
【図８】本発明の第４の実施の形態の補充処理を示すフローチャートである。
【発明を実施するための形態】
【００１６】
以下に、本発明の実施の形態を図1ないし図８に基づいて説明する。なお、この実施の形態によりこの発明が限定されるものではない。
図２は、本発明の実施の形態である新聞自動販売機を示す正面図である。新聞自動販売機は、新聞を販売する自動販売機であって、一台で複数種類（図２に示した新聞自動販売機は最大７種類）の新聞を販売できるようになっている。
【００１７】
図２に示すように、新聞自動販売機は、前面が開口した箱状の本体キャビネット２０と、本体キャビネット２０の前面開口を閉塞する外扉２１とを備えている。
本体キャビネット２０と外扉２１とは、鋼板を適宜組み合わせたもので、本体キャビネット２０の左側縁には、外扉２１が支承してある。また、外扉２１の右側中程には、ハンドルロック２２が配設してあり、外扉２１を閉塞した状態で施錠可能となっている。
【００１８】
図２に示すように、外扉２１の右側には、硬貨投入口２３、紙幣挿入口２４、電子マネー受付部２５、一体表示器２６、返却レバー２７、返却口２８が配設してある。硬貨投入口２３は、硬貨を受け付けるための開口であって、硬貨投入口２３から投入された硬貨は、外扉２１の背面内側に配設したコインメカニズム（硬貨処理装置）（図１参照）に収容されるようになっている。紙幣挿入口２４は、紙幣を受け付けるための開口であって、紙幣挿入口２４から挿入された紙幣は、外扉２１の背面内側に配設したビルバリデータ（紙幣処理装置）（図１参照）に収容されるようになっている。電子マネー受付部２５は、電子マネーがチャージされたカード等の記録媒体を受け付ける部分であって、記録媒体がかざされると、記録媒体との間で電子マネーデータを送受信することにより、対価を収受するようになっている。一体表示器２６は、販売中、釣り銭切れ、投入金額、お札禁止等の各種情報を表示するためのものである。返却レバー２７は、取引の中断を指示するためのものであって、返却レバー２７が操作されると、取引が中断され、釣り銭等を硬貨返却口２８に放出するようになっている。
【００１９】
また、外扉２１の前面には、表示選択部３０と新聞取出口４０とが上下方向に複数設けてあり、その上部には展示部５０と新聞取出口４０とが設けてある。
表示選択部３０は、新聞の紙名が記載されたプレート３１と新聞を選択する選択ボタン３２とを有している。
【００２０】
選択ボタン３２は、例えば、点灯可能な押しボタンスイッチで構成してあり、選択可能な場合に点灯し、選択された場合には一定時間点滅し、売切および販売中止時間帯には売切表示するように制御されるようになっている。
【００２１】
なお、最上段の選択ボタン３２は、展示部５０の位置に設けてあり、展示部５０には、透明なパネル５０ａが嵌め込んであり、注目記事が掲載された新聞を展示できるようになっている。
【００２２】
新聞取出口４は、新聞を取り出すための開口であって、その開口幅は、新聞が通るように、新聞の長手方向の長さと略同一となるように形成してある。また、新聞取出口４の奥方上方部には、フラッパ（図示せず）が支承してある。フラッパは、奥方から手前側に向けて漸次低くなるように傾斜した状態で新聞取出口４０を閉塞するもので、販売待機状態でフラッパが新聞取出口４０を閉塞するようになっている。
【００２３】
次に、図１は、本発明の一実施の形態を示す構成ブロック図である。１０は商品を販売する際の自動販売機各部の動作を統括的に制御する自販機主制御部であり、自販機主制御部１０は、自動販売機全体を制御する制御プログラムを記憶するメモリ１０ａ、商品の販売価格、販売中止時間の設定、その他の設定データ、売上データなどの各種データを記憶するメモリ１０ｂ、時間を計測する時計部１０ｃ、時刻判定部１０ｄを備えている。
【００２４】
この自販機主制御部１０には、各種設定・確認を行うためのリモコン１１、新聞の搬出を行う商品搬出装置１２ａ、売切検知スイッチ１２ｂを制御する本体制御部１２、コインメカニズム１３、ビルバリデータ１４、外扉２１の開閉状態を検知するドアスイッチ２１ａ、一体表示器２６、販売可能ランプ３２ａ，売切ランプ３２ｂを内蔵する選択ボタン３２、電子マネー受付部２５にかざされた電子マネーカードの内容の読み書き並びに決済を行うための電子マネー決済制御部１５が接続されている。
【００２５】
ここで、リモコン１１は、販売価格、販売中止時間帯設定などの自動販売機の各種データの設定、確認を指示入力するものである。
売切検知スイッチ１２ｂは、各ラックに設けてあり、ラックに収納される商品が売り切れ状態にあるか否かを検出するものである。より詳細には、ラックの商品が売り切れ状態にある場合にオン状態となる一方、売り切れ状態が解除された場合にオフ状態となるものである。
【００２６】
時刻判定部１０ｄは、時計部１０ｃから入力する現在日時がリモコン１１にて予め設定された販売中止時間帯か否かを判定するものである。
この構成において、図３のフローチャートを用い、販売中止時間帯設定について説明すると、リモコン１１を操作して、販売中止時間帯設定モードとし（ステップＳ３０，Ｙｅｓ）、販売中止を開始する時刻と販売中止を終了する時刻とを入力し（ステップＳ３１）、例えば、午後１１時から午前４時までを販売中止時間帯としてメモリ１０ｂの所定領域に記憶させて（ステップＳ３２）、設定を終了する。
【００２７】
次に、図４のフローチャートを用い、販売処理について説明する。
まず、販売時間帯であれば、一体表示器２６の販売中ランプが点灯し、選択ボタン３２に内蔵の売切ランプ３２ｂが点灯していなければ、販売可能な販売待機状態である（ステップＳ４０）。
【００２８】
この状態において、硬貨投入口２３に所定金額の硬貨が投入されると（ステップＳ４１）、選択ボタン３２に内蔵の販売可能ランプ３２ａが点灯する（ステップＳ４２）。
ここで、所望の選択ボタン３２を選択されると（ステップＳ４３）、本体制御部１２は、商品搬出装置１２ａの搬出機構を駆動し、新聞を新聞取出口４に搬出して、販売を終了する（ステップＳ４４）。
【００２９】
なお、選択前に返却レバー２７の操作があれば投入金額を、あるいは販売後釣銭があれば、それぞれ硬貨返却口２８に返却する。
また、硬貨について説明したが、紙幣については硬貨と同様の処理を行い、電子マネーについては、先選択を可能とし、カードがかざされ決済が行われると、新聞を新聞取出口４に搬出する。
【００３０】
このように、販売が行われ、新聞が無くなると、売切検知スイッチ１２ｂがオン状態となり、該当の売切ランプ３２ｂを点灯させるものである。
次に、図５のフローチャートを用い、販売中止時間帯における新聞の補充処理について説明する。
【００３１】
まず、時刻判定部にて、時計部からの現在時刻と設定時刻とを対比して現在時刻が販売中止時間帯となると（ステップＳ０１，Ｙｅｓ）、売切検知スイッチ１２ｂ３のオンオフ状態に関係なく、売切ランプ３２ｂを点灯させるとともに（ステップＳ０２）、一体表示器２６の販売中ランプを消灯させるものである。
【００３２】
次に、販売中止時間帯に、新聞の朝刊を補充するため、作業員が外扉２１を開放すると、ドアスイッチ２１ａがオンする（ステップＳ０３）。
この状態で、作業員が朝刊を補充し（ステップＳ０４）、外扉２１を閉じ、ドアスイッチ２１ａがオフすると（ステップＳ０５）、一定時間の間、売切検知スイッチ１２ｂの検知出力が有効となり（ステップＳ０６）、新聞が所定位置に正しく補充されれば、売切検知スイッチ１２ｂはオフ状態となるので（ステップＳ０７，Ｙｅｓ）、そのラックについては商品有りとなり、売切ランプ３２ｂを消灯させ（ステップＳ０８）、一定時間経過すれば（ステップＳ０９）、販売中止時間帯であるため売切ランプ３２ｂを再点灯させる（ステップＳ１０）。
【００３３】
一方、新聞の補充を行って外扉２１を閉じたとしても、新聞が所定位置に正しく補充されていなければ、売切検知スイッチ１２ｂがオン状態のままとなり（ステップＳ０７，Ｎｏ）、ラックに対応する選択ボタン３２の売切ランプ３２ｂは点灯状態のままとなる（ステップＳ１１）。
【００３４】
このように販売中止時間帯においても、外扉２１を開放して、その後、外扉２１を閉じた際には、一定時間の間だけ売切検知スイッチ１２ｂのオンオフ状態の出力を有効とし、そのオンオフ状態に基づいて売切ランプ３２ｂを点消灯とするようにしたので、作業者は新聞の補充がラックの所定位置に正しくに行われたかを売切ランプ３２ｂの点灯状態により確認することが可能となり、新聞を補充しても売切ランプ３２ｂが点灯状態のままとなった場合には、外扉２１を再度開放して新聞を入れ直すことが可能となる。
【００３５】
また、この売切ランプ３２ｂを消灯としている一定時間の間に貨幣投入およびカードは受け付けないように制御するものである。
次に、第１の実施形態の変形例について説明すると、朝刊を補充し、外扉２１を閉じ、ドアスイッチ２１ａがオフし、新聞が所定位置に正しく補充され売切検知スイッチ１２ｂがオフ状態となっているラックについては新聞有りとなり、売切ランプ３２ｂを一定時間の間、消灯させるものであるが、新聞を補充するタイミングおよび一定時間の設定時間によっては、その売切ランプ３２ｂを消灯している一定時間の間に販売中止時間帯の終了時刻になる可能性がある。
【００３６】
このため、売切ランプ３２ｂを消灯している一定時間の間に販売中止時間帯の終了時刻となった際には、一定時間経過後に販売待機状態に復帰するか、販売中止時間帯の終了時刻になった時点で販売待機状態に復帰するかを選択できるようにするものである。
【００３７】
次に、第２の実施形態について、図６のフローチャートを用いて特徴部分のみを説明すると、販売中止時間帯に（ステップＳ６０）、外扉２１を開放してドアスイッチ２１ａがオンすると（ステップＳ６１）、売切検知スイッチ１２ｂの検知出力が有効となり（ステップＳ６２）、新聞を補充すると（ステップＳ６３）、売切検知スイッチ１２ｂはオンオフ状態の出力し、そのオンオフ状態を売切ランプ３２ｂに表示できるようにする。
【００３８】
ここで、新聞が所定位置に正しく補充されたラックについては、売切検知スイッチ１２ｂはオフ状態となるので（ステップＳ６４，Ｙｅｓ）、そのラックについては商品有りとなり、売切ランプ３２ｂを消灯させる（ステップＳ６５）。
【００３９】
一方、新聞が所定位置に正しく補充されていなければ、売切検知スイッチ１２ｂがオン状態のままとなり（ステップＳ６４，Ｎｏ）、ラックに対応する選択ボタン３２の売切ランプ３２ｂは点灯状態のままとなる（ステップＳ６６）。
【００４０】
その後、補充作業を終了して外扉２１を閉じ（ステップＳ６７）、まだ、販売中止時間帯であれば、売切ランプ３２ｂを点灯状態とする（ステップＳ６８）。
このように、第２の実施形態においては、販売中止時間帯であっても、外扉２１を開放中の場合には、売切検知スイッチ１２ｂがオンオフ状態の出力を有効として、新聞が所定位置に正しく補充されたかを作業しながら確認可能とするものである。
【００４１】
次に、第２の実施形態の変形例について説明すると、販売中止時間帯において、外扉２１を開放中に販売中止時間帯が終了時刻になった際には、外扉２１を閉じた後に販売待機状態に復帰するか、外扉２１開放中であっても販売中止時間帯の終了時刻になった時点で販売待機状態に復帰するかを選択できるようにするものである。
【００４２】
次に、第３の実施形態について、図７のフローチャートを用いて特徴部分のみを説明すると、販売中止時間帯に（ステップＳ７０）、朝刊を補充するため外扉２１を開放するとドアスイッチ２１ａがオンし（ステップＳ７１）、このドアスイッチ２１ａがオンしたことにより、販売中止時間帯を終了させる（ステップＳ７２）。
【００４３】
このように、外扉２１を開放したことにより、販売中止時間帯の終了時刻になっていなくても、販売中止時間帯を終了させることで、朝刊の補充作業に伴い売切ランプ３２ｂが点消灯するため、所定位置に正しく補充が行われたかどうかが売切ランプ３２ｂにて判断でき、しかも、補充後、すぐに販売することが可能となるため、販売開始を早くすることが可能となる。
【００４４】
次に、第４の実施形態について、図８のフローチャートを用いて特徴部分のみを説明すると、販売中止時間帯に（ステップＳ８０）、朝刊を補充するため外扉２を開放するとドアスイッチ２１ａがオンし（ステップＳ８１）、朝刊を補充して（ステップＳ８２）、補充終了後、外扉を閉じるとドアスイッチ２１ａがオフすることにより（ステップＳ８３）、販売中止時間帯を終了させる（ステップＳ８４）。
【００４５】
このように、朝刊の補充作業後、外扉２１を閉じた際に、所定位置に正しく補充が行われたかどうかが売切ランプ３２ｂにて判断でき、しかも、補充後、すぐに販売することが可能となるため、販売開始を早くすることが可能となる。
【００４６】
なお、本実施の形態にて例示した自動販売機は、例えば新聞（朝刊及び夕刊）を販売するものについて説明したが、この新聞自動販売機に限らず、商品の有無を検知できる売切検知スイッチを備え、かつ、販売中止時間帯が設定可能な自動販売機であれば、いずれの自動販売機にも適用可能である。
【符号の説明】
【００４７】
１０      自販機主制御部
１０ａ    メモリ
１０ｂ    メモリ
１０ｃ    時計部
１０ｄ    時刻判定部
１１      リモコン
１２ｂ    売切検知スイッチ
２０      本体キャビネット
２１      外扉
２１ａ    ドアスイッチ
３２      選択ボタン
３２ａ    販売可能ランプ
３２ｂ    売切ランプ
【図１】
2011048662.tif 000003
【図３】
2011048662.tif 000004
【図４】
2011048662.tif 000005
【図５】
2011048662.tif 000006
【図６】
2011048662.tif 000007
【図７】
2011048662.tif 000008
【図８】
2011048662.tif 000009
【図２】
2011048662.tif 000010